【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
ケーブルコアをケーブルのケーブルシースから取外す方法において、
前記ケーブルコアは、電線および該電線を包囲する外被を具備しており、
前記ケーブルシースは、前記ケーブルコアの外被を包囲しており、
前記方法が、
前記ケーブルの基端部において、前記ケーブルシースを一定の長さに亘って除去する工程と、
前記ケーブルの基端部において、前記ケーブルコアをその外被と共にコアシール（１３）によって包囲し、前記ケーブルコアを気密に閉鎖して圧力シールする工程と、
前記コアシールを包囲するように、前記ケーブルシースの上に蓋（１７）を装着する工程と、
前記蓋内に流動性媒体を導入することによって、該流動性媒体を前記ケーブルコアの外被と前記ケーブルシースの内面との間の環状空間内に導入する工程と、
前記ケーブルコアに引張り力を加えることによって、該ケーブルコアを前記ケーブルシースに対して抜取る抜取り工程とを含んで成るケーブルコアをケーブルシースから取外す方法。
【請求項２】
流動性媒体を導入する段階の少なくとも一部の間、環状空間又はケーブル全体が末端側のケーブル端部では圧力シールされず、それにより流動性媒体が圧力の作用のもとに実質的に環状空間の中を末端側のケーブル端部へと流れるようになり、これによりいわゆる流れ段階が形成されるようにすることを特徴とする請求項１に記載の方法。
【請求項３】
流動性媒体を導入する段階の少なくとも一部の間、環状空間又はケーブル全体が末端側の端部で圧力シールされそれにより流動性媒体が圧力の作用のもとにケーブルコアを圧縮し及び／又はケーブルシースを膨張するようにし、これによりいわゆる圧縮段階が形成されるようにすることを特徴とする請求項１又は２に記載の方法。
【請求項４】
最初に流れ段階が行われ次に圧縮段階が行われることを特徴とする請求項２又は３に記載の方法。
【請求項５】
流動性媒体が末端側のケーブル端部に現われた後、流れ段階が終了しまた圧縮段階が開始されることを特徴とする請求項４に記載の方法。
【請求項６】
ケーブルコアの外被が巻きつけ体として設計されているケーブルにおいて、巻きつけが進行する方向の側にあるケーブル端部が、前記基端側のケーブル端部として用いられ、それにより流動性媒体が環状空間の中を巻きつけ方向とは反対の方向に前方に動かされるようにすることを特徴とする請求項１から５のうちの１項に記載の方法。
【請求項７】
ケーブルコアの外被が巻きつけ体として設計されているケーブルにおいて、ケーブルコアが巻きつけが進行する方のケーブル端部で引出され、すなわち、引出し運動が巻きつけ方向に行われることを特徴とする請求項１から６のうちの１項に記載の方法。
【請求項８】
流動性媒体の導入の段階の少なくとも一部の間、特に圧縮段階の間、圧縮ガス、特に圧縮空気が外被によって取巻かれたケーブルコアの内部に導入され、それにより内部から外被に作用する対抗圧力が圧力下に導入された流動性媒体に抗して生み出されるようにする請求項３から７のうちの１項に記載の方法。
【請求項９】
ケーブルコアの外被が巻きつけ体として設計されているケーブルにおいて、圧縮ガスが、巻きつけの進行が始まるケーブル端部で導入されそれにより圧縮ガスがケーブルコアの内部を巻きつけ方向に流れるようにすることを特徴とする請求項８に記載の方法。
【請求項１０】
液体の媒体、特に接着剤が圧縮ガスに混合されそれによりケーブルコアの内部に導入されることを特徴とする請求項８又は９に記載の方法。
【請求項１１】
ケーブルコアの内部が基端側のケーブル端部で閉鎖され圧力下に環状空間に導入される流動性媒体に対して圧力シールされ、それにより流動性媒体が基端側のケーブル端部ではケーブルコアの内部に入り込むことができないようにすることを特徴とする請求項１から１０のうちの１項に記載の方法。
【請求項１２】
ケーブルコアの内部が末端側のケーブル端部で閉鎖され環状空間に対して圧力シールされそれにより末端側のケーブル端部で環状空間から出てくる流動性媒体がケーブルコアの内部に入ることができないようにすることを特徴とする請求項１から１１のうちの１項に記載の方法。
【請求項１３】
環状空間に対するケーブルコアの内部の圧力シールの閉鎖が、コアシール部をケーブルコアの端部に取付けることによるシールによって達成されることを特徴とする請求項１１又は１２に記載の方法。
【請求項１４】
コアシール部にはケーブルコアの内部を通気させるための通気チューブが設けられていることを特徴とする請求項１３に記載の方法。
【請求項１５】
流動性媒体が、コアの抜取られる前に導入されることを特徴とする請求項１から１４のうちの１項に記載の方法。
【請求項１６】
流動性媒体が、ケーブルコアが引出されている間に導入されることを特徴とする請求項１５に記載の方法。
【請求項１７】
ケーブルコアの内部がケーブルの両端部で、流動性媒体が導入される前に環状空間に対して圧力シール式に閉鎖されることを特徴とする請求項１から１６のうちの１項に記載の方法。
【請求項１８】
ケーブルコアの緊密性が、流動性媒体が導入される前に圧縮空気により検査されることを特徴とする請求項１から１７のうちの１項に記載の方法。
【請求項１９】
ケーブルコアの透過性が、流動性媒体が導入される前に圧縮空気により検査されることを特徴とする請求項１から１８のうちの１項に記載の方法。
【請求項２０】
流動性媒体が導入されている間にケーブルコアが緊張されることを特徴とする請求項１から１９のうちの１項に記載の方法。
【請求項２１】
ケーブルコアが抜取り工程の間回転しないよう固定されることを特徴とする請求項１から２０のうちの１項に記載の方法。
【請求項２２】
抜取り工程の間、ケーブルコアが、好ましくはケーブルコアに存在するワイヤのらせん方向に回転されることを特徴とする請求項１から２０のうちの１項に記載の方法。
【請求項２３】
ケーブルコアが抜取られているケーブルの端部で、流動性媒体が引出し工程の間に取除かれそして集められることを特徴とする請求項１から２２のうちの１項に記載の方法。
【請求項２４】
ケーブルコアが引出されている端部とは異なるケーブルの端部で、流動性媒体が抜取り工程の間ケーブルコアにより、例えばケーブルコアの端部に連結されたピストン状の要素によって、搬送されることを特徴とする請求項１から２３のうちの１項に記載の方法。
【請求項２５】
抜取り工程の間ケーブルシースが、ケーブルコアが引出される端部で回転しないよう固定されることを特徴とする請求項１から２４のうちの１項に記載の方法。
【請求項２６】
抜取り工程の間、ケーブルコアの抜取りを助けるため、引出し側とは反対側でケーブルコアの端部に圧力が加えられることを特徴とする請求項１から２５のうちの１項に記載の方法。
【請求項２７】
圧力が、圧力下に導入された流動性の押出し媒体を介して、引出し側とは反対側でケーブルコアの端部に加えられることを特徴とする請求項２６に記載の方法。
【請求項２８】
引く力がケーブルコアに締結された挟持具を介してケーブルコアに伝達されることを特徴とする請求項１から２７のうちの１項に記載の方法。
【請求項２９】
引く力が、ケーブルコアが数回巻きつけられるモーター駆動のシャフトを介してケーブルコアに加えられることを特徴とする請求項１から２８のうちの１項に記載の方法。
【請求項３０】
導入された流動性媒体が混入された潤滑剤を含むことを特徴とする請求項１から２９のうちの１項に記載の方法。
【請求項３１】
流動性媒体自体が潤滑剤によって形成されていることを特徴とする請求項１から２９のうちの１項に記載の方法。
【請求項３２】
潤滑剤がチキソトロピックの液体によって形成されていることを特徴とする請求項３０又は３１に記載の方法。
【請求項３３】
少なくとも１つの新しいケーブルまたは光導波管がコアの抜取りと同時にケーブルシースの中に引込まれることを特徴とする請求項１から３２のうちの１項に記載の方法。